(57)【特許請求の範囲】
【請求項１】
提灯の揺れに対する３軸方向の加速度をアナログ信号として検出し、前記アナログ信号を光の揺れに変換することにより、提灯の光源の明るさをろうそくの揺れに疑似して変化させる光源制御方法において、
予め、ろうそくの揺らぎデータを記憶しておき、
前記提灯の揺れに基づいて、前記加速度を加速度センサによってアナログ信号として検出された３軸方向に対する加速度データを所定時間間隔でサンプリングしてそれぞれ平均化処理した後、これらの補数を演算処理し、
前記演算処理された演算データと前記ろうそくの揺らぎデータとを掛け算処理した後、
前記掛け算処理の結果得られた値を基にして、光源の明るさを制御し、
提灯に与えられた３軸方向の動きを加速度に応じた光源の明るさに変化させることを特徴とする光源制御方法。
【請求項２】
提灯の揺れに対する３軸方向の加速度をアナログ信号として検出し、前記アナログ信号を光の揺れに変換することにより、提灯の光源の明るさをろうそくの揺れに疑似して変化させる光源制御装置において、
予め、ろうそくの揺らぎデータを記憶する揺らぎデータ記憶手段と、
提灯のゆらぎに対する３軸方向の加速度をアナログ信号として検出する加速度センサと、
前記加速度センサによって検出されたデータをそれぞれ所定時間間隔でサンプリングする第１のサンプリング手段と、
前記第１のサンプリング手段によって得られたサンプリングデータを所定時間間隔ずらしながらそれぞれ移動させた移動平均値を得、前記移動平均値の１に対する補数を演算処理する第１の演算手段と、
前記揺らぎデータ記憶手段に予め記憶されているデータを第１のサンプリング手段の時間間隔と同じ間隔でサンプリングする第２のサンプリング手段と、
前記第１の演算手段による演算結果と、第２のサンプリング手段による揺らぎデータを掛け算処理する第２の演算手段と、
前記第２の演算手段による演算結果に基づいて、前記光源の明るさを制御する制御手段と、
から少なくとも構成され、提灯に与えられた３軸方向の動きを加速度に応じた光源の明るさに変化させることを特徴とする光源制御装置。
【請求項３】
前記加速度センサは、曳山に取り付けられた提灯のそれぞれに取り付けられているとともに、それぞれの提灯の明るさを制御することを特徴とする請求項２に記載された光源制御装置。
【請求項４】
一つの加速度センサは、曳山に取り付けられ、前記曳山に取り付けられた複数の提灯の明るさを同時に制御することを特徴とする請求項２に記載された光源制御装置。
【発明の詳細な説明】
【技術分野】
【０００１】
本発明は、ろうそくの代わりに光源を提灯に取り付けて、提灯の揺らぎにしたがって光源の明るさを制御する光源制御方法および光源制御装置に関するものである。また、本発明は、曳山に取り付けられた提灯の光源を曳山の揺れる程度に応じて、ろうそくが揺れるのと同じように揺れる光源制御方法および光源制御装置に関するものである。本明細書において、「光源」は、ＬＥＤ等の発光素子、白熱灯等の公知の電気的光源をいう。また、本明細書において、提灯の揺れは、提灯に加えられた外的要因（外乱）により、内部の気流が変化して炎が揺らぐことであり、手持ちの場合、複数個の提灯が構造物に取り付けられている場合等を含む。さらに、本明細書において、「曳山」は、「山車」、「屋台（屋体）」、「山鉾」、（地方により異なる表現がある）等を含む。
【背景技術】
【０００２】
提灯のろうそくは、風により消えたり、火災の原因になる等の大きな問題があるだけでなく、ろうそくの取り付け、火入れ、交換等の手間に時間がかかるという問題があった。そこで、提灯の火は、白熱灯に代える場合が多い。また、前記白熱灯は、小型で消費電力の少ない光源に代わりつつある。しかし、前記白熱灯、あるいはＬＥＤ等の電気的光源は、ろうそくのような揺らぎがなく、風情の点で劣っている。ろうそくの炎の明暗の変化や揺らぎを色彩豊かに表現する電子キャンドルは、たとえば、特開２００５−２２８５８７公報に記載されている。
【特許文献１】特開２００５−２２８５８７公報
【発明の開示】
【発明が解決しようとする課題】
【０００３】
従来の電子的な揺らぎは、単に、ろうそくの自然な動きに近づけるようにしたものであり、ろうそく自体の動きに関係がない場合が多い。前記電子的な揺らぎは、白熱灯等の電気的光源をただ揺らすだけで、規則正しい明暗となり、かえって不自然な揺らぎになる場合があった。
【０００４】
以上の課題を解決するために、本発明は、ろうそくの揺れに応じて光の明暗が変わるように光源の明るさを制御する光源制御方法および光源制御装置を提供することを目的とする。本発明は、提灯の揺れを加速度センサにより検出して、提灯の揺れに基づいて光源の明るさに変化を与えることができる光源制御方法および光源制御装置を提供することを目的とする。また、本発明は、光源が取り付けられた多数の提灯を曳山に取り付け、曳山の揺れに応じて光源の明るさに変化を与えることができる光源制御方法および光源制御装置を提供することを目的とする。
【課題を解決するための手段】
【０００５】
第１発明の光源制御方法は、提灯の揺れに対する３軸方向の加速度をアナログ信号として検出し、前記アナログ信号を光の揺れに変換することにより、提灯の光源の明るさをろうそくの揺れに疑似して変化させるものであって、予め、ろうそくの揺らぎデータを記憶しておき、前記提灯の揺れに基づいて、前記加速度を加速度センサによってアナログ信号として検出された３軸方向に対する加速度データを所定時間間隔でサンプリングしてそれぞれ平均化処理した後、これらの補数を演算処理し、前記演算処理された演算データと前記ろうそくの揺らぎデータとを掛け算処理した後、前記掛け算処理の結果得られた値を基にして、光源の明るさを制御し、提灯に与えられた３軸方向の動きを加速度に応じた光源の明るさに変化させることを特徴とする。
【０００７】
（第２発明）
第２発明の光源制御装置は、提灯の揺れに対する３軸方向の加速度をアナログ信号として検出し、前記アナログ信号を光の揺れに変換することにより、提灯の光源の明るさをろうそくの揺れに疑似して変化させるものであり、予め、ろうそくの揺らぎデータを記憶する揺らぎデータ記憶手段と、提灯のゆらぎに対する３軸方向の加速度をアナログ信号として検出する加速度センサと、前記加速度センサによって検出されたデータをそれぞれ所定時間間隔でサンプリングする第１のサンプリング手段と、前記第１のサンプリング手段によって得られたサンプリングデータを所定時間間隔ずらしながらそれぞれ移動させた移動平均値を得、前記移動平均値の１に対する補数を演算処理する第１の演算手段と、前記揺らぎデータ記憶手段に予め記憶されているデータを第１のサンプリング手段の時間間隔と同じ間隔でサンプリングする第２のサンプリング手段と、前記第１の演算手段による演算結果と、第２のサンプリング手段による揺らぎデータを掛け算処理する第２の演算手段と、前記第２の演算手段による演算結果に基づいて、前記光源の明るさを制御する制御手段と、から少なくとも構成され、提灯に与えられた３軸方向の動きを加速度に応じた光源の明るさに変化させることを特徴とする。
【０００９】
（第３発明）
第３発明の光源制御装置において、前記加速度センサは、曳山に取り付けられた提灯のそれぞれに取り付けられているとともに、それぞれの提灯の明るさを制御することを特徴とする。
【００１０】
（第４発明）
第４発明の光源制御装置において、前記一つの加速度センサは、曳山に取り付けられ、前記曳山に取り付けられた複数の提灯の明るさを同時に制御することを特徴とする。
【発明の効果】
【００１１】
本発明によれば、光源を取り付けた提灯の動きを加速度センサで検出し、前記提灯の動きに応じて光源の明るさを制御することにより、前記提灯に取り付けたろうそくがあたかも揺れているかのような印象を見る者に与えることができる。
【００１２】
本発明によれば、提灯の動きにより、光源の明るさも変化するようにできる。前記提灯を曳山に取り付けた場合、前記光源の光は、曳山の動きに応じてろうそくの炎のように揺らいで見える。
【００１３】
本発明によれば、提灯が上下方向に開口部を有するため、ろうそくの光がｚ軸方向に大きく影響されることに着目し、ｚ軸方向のみの加速度センサとすることもできる。
【００１４】
本発明によれば、加速度センサによって検出されたデータを所定時間間隔の平均を取り、少しずつずらした移動平均値により、光源を制御しているため、制御装置が簡単で、しかも、実際のろうそくの揺れに近い光源の明るさを制御することが可能になった。
【発明を実施するための最良の形態】
【００１５】
（第１発明）
第１発明の光源制御方法は、提灯に取り付けられた光源の光があたかもろうそくの火と同じように揺らぐように見せるものである。すなわち、前記光源制御方法は、提灯に取り付けられた加速度センサにより、提灯の揺れを加速度の変化として検出し、前記加速度変化に応じて、前記提灯に取り付けられた光源の明るさを制御する。前記光源の明るさは、光源制御装置の制御により、提灯の光がろうそくの揺れと同じように揺れているように見える。
【００１６】
静止状態に設置されているろうそくの炎の揺らぎデータ（以下、ろうそくの揺らぎデータと記載する）は、予め明るさが測定され、その値（絶対値）が記憶される。加速度センサは、提灯の揺れに対する３軸方向のアナログ信号として検出される。前記検出信号は、前記提灯の揺れを所定時間間隔でサンプリングされる。前記検出されたサンプリングデータは、ある一定時間間隔毎に平均化される。前記一定時間間隔の平均値は、前記サンプリング時間ずつ移動しながら得られる。前記平均化されたデータは、最大値を１とする値に換算し、その絶対値の１に対する補数とする。前記ろうそく揺らぎデータは、前記提灯の平均化されたデータに掛け算される。前記掛け算によって得られたデータは、Ｄ／Ａ変換手段によってアナログ信号に変換、または、パルス幅変調された信号で光源を駆動し、提灯に与えられた３軸方向の加速度に応じて光源の明るさを変えて、ろうそくが揺らいでいるかのように見せることができる。
【００１７】
光源制御方法において、第１発明におけるサンプリングデータは、一定時間間隔ずらせながら移動し、同じくずれた時間における前記提灯の平均化されたデータに掛け算される。前記掛け算によって得られたデータは、アナログ信号に変換、またはパルス幅変調された信号で光源を駆動し、その時々における提灯に与えられた加速度に応じて光源の明るさに変化を与えることができる。
【００１８】
（第２発明）
第２発明の光源制御装置は、光源の明るさをろうそくの揺れに疑似して変化させるものである。静止状態に設置されているろうそくの明るさの変化データは、揺らぎデータ記憶手段に、予め記憶しておく。加速度センサは、提灯の揺れに対する３軸方向の加速度をアナログ信号として検出する。第１のサンプリング手段は、前記加速度センサによって検出されたアナログデータを所定時間間隔でサンプリングする。第１の演算手段は、前記第１のサンプリング手段によって得られたサンプリングデータをある一定時間間隔ずらしながら移動させた移動平均値を得る。その後、前記移動平均値は、前記第１の演算手段によって、１に対する補数として演算処理される。
【００１９】
第２のサンプリング手段は、前記揺らぎデータ記憶手段に記憶されているろうそくの揺らぎデータを前記第１のサンプリング手段の時間間隔と同じ間隔でサンプリングする。第２の演算手段は、前記第１の演算手段による演算結果と、第２のサンプリング手段による揺らぎデータを掛け算処理する。前記掛け算処理の結果は、アナログ信号に変換、または、パルス幅変調された信号で光源を駆動し、提灯に与えられた加速度に応じた光源の明るさに変化を与え、あたかも、光源の光がろうそくのように揺れているように見せる。第１のサンプリング手段および第２のサンプリング手段、あるいは、第１の演算手段および第２の演算手段は、説明上二つになっているが、必ずしも別々にする必要がない。前記提灯は、加速度が加わるものであれば、特に限定されない。
【００２０】
前記光源制御装置において、提灯の加速度センサによる検出データは、ｚ軸方向のみに動かした場合だけでもよく、ｚ軸方向とｘ軸方向、ｚ軸方向とｙ軸方向、あるいは、ｚ軸方向、ｘ軸方向、ｙ軸方向の全部の方向に動かした場合でもよい。提灯は、下部および上部に開口部が設けられており、ろうそくの芯の周りに、風が当たらないような構造になっている。すなわち、ろうそくの揺らぎは、上下方向（ｚ軸方向）の動きに対する影響が一番大きく、水平方向（ｘ軸方向およびｙ軸方向）に対する影響が少なくなっているため、少なくともｚ軸方向の加速度センサによる検出データが必要である。
【００２１】
前記光源制御装置において、前記提灯に与えられる揺らぎは、人為的なものに代わり、風によるものとすることもできる。前記風による提灯の揺れは、加速度センサによって検出され、加速度データとする。前記提灯は、風の強さによって、揺れが加速度センサによって検出され、提灯に取り付けられた光源の明るさを変えることができる。
【００２２】
（第３発明）
第３発明の光源制御装置において、加速度センサは、曳山に取り付けられた提灯のそれぞれに取り付けられている。曳山に取り付けられている多くの提灯は、曳山の動きにより、異なった揺れ方をする。前記加速度センサは、それぞれの提灯に設けられ、多くの提灯の揺れに応じた揺れデータを得ることができる。前記揺れデータは、それぞれの提灯の揺れ方に基づいて、光源の明るさを制御できる。
【００２３】
（第４発明）
第４発明の光源制御装置において、加速度センサは、たとえば、曳山に一つが取り付けられている。前記加速度センサは、前記曳山に取り付けられた複数の提灯の明るさを同時に制御する。前記曳山に取り付けられた加速度センサは、複数個にし、その中の一つの加速度センサによって、複数個からなる提灯を群として、これらの明るさを制御することもできる。曳山の複数箇所、たとえば、前後、左右に取り付けられており、曳山の前後、左右に取り付けられている複数個の提灯の明るさを制御することができる。本発明は、日本の祭り等に使用するもので、提灯の他に行灯、灯籠等に適用できる。
【実施例１】
【００２４】
図１は本発明の第１実施例で、光源制御装置を説明するためのフローチャートである。図１において、光源制御装置は、図示されていない提灯に取り付けられている光源、および制御装置に電源が投入されることにより、スタートする（ステップ１１１）。提灯に取り付けられた加速度センサは、前記提灯のｚ軸方向の加速度が検出される（ステップ１１２）。前記加速度センサは、前記提灯のｚ軸方向の加速度が検出されるように配置されている。
【００２５】
加速度データサンプリング手段は、ｚ軸方向の加速度を所定時間間隔でサンプリングする（ステップ１１３）。移動平均値処理手段は、時間間隔を少しずつずらせながら、平均値を演算する（ステップ１１４）。演算処理手段は、前記移動平均値の１に対する補数を演算処理する（ステップ１１５）。
【００２６】
一方、予め、ろうそくの明るさの揺らぎデータは、前記提灯の場合と同じ時間間隔で揺らぎデータ記憶手段に記憶しておく（ステップ１１６）。前記ろうそくの揺らぎデータは、和ろうそくのものとすることが望ましい。前記和ろうそくは、静止状態であっても揺れ方が大きい傾向にある。前記揺らぎデータ記憶手段は、前記時間間隔をずらしながら、ろうそくの揺らぎデータをサンプリングする（ステップ１１７）。
【００２７】
ステップ１１５で得られた移動平均値の補数データは、ステップ１１７によって得られた揺らぎサンプリングデータと掛け算が行なわれる（ステップ１１８）。前記掛け算の結果は、Ｄ／Ａ変換手段によってアナログ信号に変換、またはパルス幅変調された信号に変換される（ステップ１１９）。提灯に取り付けられた光源は、たとえば、前記パルス幅変調された信号によって制御される（ステップ１２０）。前記掛け算は、
ｋ×（１−｜ｚ／ｚmax ｜）×Ｄｕ
（ただし、ｋは係数、ｚはｚ軸方向の加速度の移動平均値、ｚmax はｚ軸方向の加速度の最大値、Ｄｕはろうそくの揺らぎデータ）
【００２８】
電源の停止または何らかの停止信号がない限り、時間間隔をΔｔだけずらしてｚ軸方向の加速度データをサンプリングする（ステップ１１３）。また、前記同様に、ろうそくの揺らぎデータも時間間隔Δｔだけずらしてサンプリングする（ステップ１１７）。その後は、ステップ１１８からステップ１２０を時間間隔Δｔだけずらしながらストップがかるまで継続し（ステップ１２２）、ストップ信号が来ることにより終了とする（ステップ１２３）。
【実施例２】
【００２９】
図２は本発明の第２実施例で、ｘ軸方向、ｙ軸方向、ｚ軸方向の加速度を検出して、光源を制御する光源制御装置を説明するためのフローチャートである。図２において、光源制御装置は、図示されていない提灯に取り付けられている光源、および制御装置に電源が投入されることにより、ｘ軸方向、ｙ軸方向、ｚ軸方向の加速度が検出されることによりスタートする（ステップ２１１）。提灯に取り付けられたそれぞれの方向の加速度を検出する加速度センサは、前記提灯のｘ軸方向、ｙ軸方向、ｚ軸方向の加速度を検出する（ステップ２１２、２２０、２１６）。前記加速度センサは、前記提灯のｘ軸方向、ｙ軸方向、ｚ軸方向の加速度が検出されるように配置されている。
【００３０】
加速度データサンプリング手段は、ｘ軸方向、ｙ軸方向、ｚ軸方向の加速度を所定時間間隔でサンプリングする（ステップ２１３、２２１、２１７）。移動平均値処理手段は、時間間隔を少しずつずらせながら、平均値を演算する（ステップ２１４、２２２、２１８）。演算処理手段は、前記移動平均値の１に対する補数を演算処理する（ステップ２１５、２２３、２１９）。
【００３１】
一方、予め、ろうそくの揺らぎ明るさデータは、データ記憶手段に記憶しておく（ステップ２２４）。前記揺らぎサンプリング手段は、前記時間間隔をずらしながら、ろうそくの揺らぎデータをサンプリングする（ステップ２２５）。なお、前記ろうそくの揺らぎ明るさデータは、各軸方向に分けずに得ることができる。
【００３２】
ステップ２１５、２２３、２１９で得られた移動平均値の補数データは、ステップ２２５によって得られた揺らぎサンプリングデータと掛け算が行なわれる（ステップ２２６）。前記掛け算のそれぞれの結果は、Ｄ／Ａ変換手段によりアナログ信号に変換される（ステップ２２７）。提灯に取り付けられた光源は、アナログ信号またはパルス幅変調された信号によって制御される（ステップ２２８）。
【００３３】
電源の停止または何らかの停止信号がない限り、時間間隔をΔｔだけずらしてｘ軸方向、ｙ軸方向、ｚ軸方向の加速度データをサンプリングする（ステップ２１３、２２１、２１７）。また、前記同様に、ろうそくの揺らぎデータも時間間隔Δｔだけずらしてサンプリングする（ステップ２２５）。その後は、ステップ２２６からステップ２２８を時間間隔Δｔだけずらしながらストップがかるまで継続し、ストップ信号が来ることにより終了とする（ステップ２３１）。
【００３４】
図３は本発明の構成におけるｚ軸方向のみの場合における光源制御装置を説明するための概略ブロック構成図である。図３において、本発明の光源制御装置は、提灯に取り付けられた少なくとも一つの加速度センサ３１１と、前記加速度センサ３１１で検出されたデータをデジタル信号に変換するＡ／Ｄ変換手段３１２と、前記Ａ／Ｄ変換手段３１２によって変換されたデータをサンプリングするサンプリングデータ平均化処理手段３１３と、前記サンプリングデータ平均化処理手段３１３によって得られた値を１に対する補数を演算する補数演算手段３１４と、予めろうそくの揺らぎをデータとして記憶するろうそく揺らぎデータ記憶手段３１５と、前記ろうそく揺らぎデータ記憶手段３１５に記憶されているデータと前記補数演算処理手段３１５によって処理されたデータとを掛け算する掛け算手段３１６と、前記掛け算手段３１６によって得れた値をアナログ信号に変換するＤ／Ａ変換手段３１７と、前記制御された電流によって光を放つ提灯に取り付けられた光源と、から少なくとも構成されている。
【００３５】
ろうそくの揺らぎデータは、揺らぎデータ記憶手段３１５に、予め記憶されている。加速度センサ３１１は、たとえば、提灯に取り付けられており、提灯の加速度を検出する。Ａ／Ｄ変換手段３１２は、前記加速度センサによって検出されたデータを所定時間間隔でサンプリングすることによりデジタル信号とする。その後、前記サンプリングデータ平均化処理手段３１３は、所定時間間隔でサンプリングデータを所定時間間隔ずらしながら移動させた移動平均値を得る。
【００３６】
その後、前記移動平均値は、補数演算処理手段３１４によって、１に対する補数として演算処理される。前記ろうそく揺らぎデータ記憶手段３１５に記憶されている揺らぎデータは、前記サンプリングデータ平均化処理手段３１３の時間間隔と同じ間隔でサンプリングされる。掛け算手段３１６は、前記補数演算処理手段３１４による演算結果と、ろうそく揺らぎデータ記憶手段３１５に記憶されている揺らぎデータを掛け算処理する。Ｄ／Ａ変換手段３１７は、前記掛け算手段３１６による演算結果に基づいて、アナログ信号に変換、またはパルス幅変調された信号で光源を駆動し、提灯に与えられた加速度に応じた光源の明るさに変化を与え、あたかも、光源の光がろうそくのように揺れているように見せる。
【００３７】
図４（イ）から（ハ）は本発明の光源制御装置の原理を説明するための図である。図４（イ）は、ろうそくの揺らぎ明るさデータが予め記憶されている。図４（ロ）は、提灯に取り付けられた加速度センサによって検出された加速度データにおける最大値を１とする加速度の絶対値であり、所定時間間隔における移動平均加速度の強さを表している。図４（ハ）は、所定時間間隔におけるろうそくの揺らぎデータと、提灯の加速度の補数を掛け算した値である。前記加速度データは、Δｔだけずらしながら平均値を得ている。すなわち、前記加速度データは、移動平均値となり、ろうそくの揺らぎに擬似することができる。
図４（ロ）において、前記平均値は、最初、時間Δｔ×１６とし、次に、時間Δｔずつずらし、移動平均値としている。前記移動平均値は、たとえば、バッファメモリ（図示されていない）等の領域を用いて演算される。前記移動平均値は、時間Δｔのデータを取り込むと同時に、一番古いデータを削除し、これをサンプリング毎に繰り返す。
【００３８】
加速度センサは、初期状態（何もしていない状態）であっても、出力電圧が０ではなく、また、センサの傾きで出力電圧が変化し、加速度とは関係ないオフセット電圧として出力される。前記加速度センサの出力は、前記オフセット電圧を補正しない場合、常に加速度がかかった状態とみなされる。本発明は、前記初期状態を無視できるように、比較的長い所定時間間隔の値を平均化して、加速度データに補正をかける。
【００３９】
図５（イ）から（ハ）は本発明の提灯を説明するための概略図である。図５（イ）から（ハ）において、提灯５１は、基台５１１と、前記基台に連設された火袋５１２と、前記火袋５１２の上部に取り付けられた取り付け部５１３と、前記基台５１１に取り付けられた光源支持部５１６と、前記光源支持部５１６に取り付けられた光源５１７とから少なくとも構成されている。前記基台５１１は、内部に通じる下部開口部５１４が設けられている。また、前記提灯の上部にある取り付け部５１３は、上部開口部５１５が設けられている。前記提灯５１は、光源５１７、電池または発電機等の電源、加速度センサ、制御回路等を内部または外部に設けることができる。
【００４０】
図５における提灯において、光源の代わりにろうそくを付けた場合、炎は、前記火袋５１２の下部に設けられた下部開口部５１４から上部開口部５１５に空気の流れが生じ、ろうそくの芯が燃える。すなわち、提灯は、ｚ軸方向に空気の流れがあり、ｘ軸方向およびｙ軸方向に空気の流れが少ない。本出願人は、提灯における少なくともｚ軸方向の加速度を検出することにより、ろうそくの揺らぎを光源の電流制御で行なうことを見出した。特に、提灯が曳山に設けられた場合、前記それぞれの提灯における上下左右の揺れは、それぞれの加速度センサによって検出され、それぞれの提灯に設けられた光源の電流を制御している。
【００４１】
前記加速度センサは、３Ｄモーションセンサとすることができ、セラミック・ジャイロ、加速度センサ、磁気センサを組み合わせる。前記セラミック・ジャイロは、素早い動きが得意で、加速度センサおよび磁気センサは、ゆっくりした動きが得意である。したがって、前記３Ｄモーションセンサは、補正回路を組み込むことにより、正確な提灯の動きを検出することができる。
【００４２】
以上、本発明の実施例を詳述したが、本発明は、前記本実施例に限定されるものではなく、特許請求の範囲に記載されている事項を逸脱することがなければ、種々の設計変更を行うことが可能である。たとえば、ブロック構成図における各手段は、周知また公知の技術を用いることができる。提灯および加速度センサは、周知または公知のものを使用することができる。前記提灯と加速度センサは、一対一、複数個の提灯を一つの加速度センサ、複数個の提灯を複数個の加速度センサで制御することができる。また、本実施例は、提灯を例にして説明したが、提灯の代わりに行灯または灯籠のような従来からろうそくを使用している機器に適用することができる。
【図面の簡単な説明】
【００４３】
【図１】本発明の第１実施例で、光源制御装置を説明するためのフローチャートである。（実施例１）
【図２】本発明の第２実施例で、ｘ軸方向、ｙ軸方向、ｚ軸方向の加速度を検出して、光源を制御する光源制御装置を説明するためのフローチャートである。（実施例２）
【図３】本発明の構成におけるｚ軸方向のみの場合における光源制御装置を説明するための概略ブロック構成図である。
【図４】（イ）から（ハ）は本発明の光源制御装置の原理を説明するための図である。
【図５】（イ）から（ハ）は本発明の提灯を説明するための概略図である。
【符号の説明】
【００４４】
３１１・・・加速度センサ
３１２・・・ＡＤ変換手段
３１３・・・サンプリングデータ平均化処理手段
３１４・・・補数演算処理手段
３１５・・・ろうそく揺らぎデータ記憶手段
３１６・・・掛け算手段
３１７・・・電流制御手段
３１８・・・光源
【図１】
0005111172.tif 000002
【図２】
0005111172.tif 000003
【図３】
0005111172.tif 000004
【図４】
0005111172.tif 000005
【図５】
0005111172.tif 000006